(57)【要約】  【課題】組み立て工程および部品点数の増加によるロスを発生させることなく、通路規制板を側板から脱落しないように確実に取り付けることで、より安価で安定した商品販売を可能とする商品収容棚を提供する。  【解決手段】商品通路下部に取り付けられている商品搬出装置１２に対向して配置され、商品を保持するための商品保持用突起２０と側面に商品通路の側板１３と係合させる為の係合軸２１とを備えた通路規制板１１において、側板１３に設けた溝孔２７と係合軸２１を係合させ、係合軸２１の先端の係止爪２１ａを折り曲げることで、通路規制板１１を側板１３に連結固定する。【選択図】図１
2006252114.tif 000002
【特許請求の範囲】
【請求項１】
商品通路の下部で商品を排出する商品搬出装置と対向して配置した通路規制板を有する商品収容棚において、前記通路規制板は商品を保持するための突起部と、前記通路規制板の側部には商品通路の側板と係合させる為の係合軸とを備え、前記側板に設けた溝孔に前記係合軸を係合させ、前記係合軸先端の係止爪を折り曲げて前記側板に固定することを特徴とする自動販売機の商品収容棚。
【請求項２】
通路規制板と側板を固定するための係止爪は折り曲げ方向に傾斜して形成されたことを特徴とする請求項１に記載の自動販売機の商品収容棚。
【請求項３】
通路規制板と側板を固定するための係止爪には折り曲げを補助するための切込み溝が形成されていることを特徴とする請求項１または２に記載の自動販売機の商品収容棚。
【請求項４】
通路規制板と側板を固定するための係止爪には曲げ位置を定める補強溝を設けたことを特徴とする請求項１から３のいずれか一項に記載の自動販売機の商品収容棚。
【請求項５】
通路規制板と側板を固定するための係止爪の左右には折り曲げを補助するための切欠き部が設けられていることを特徴とする請求項１から４のいずれか一項に記載の自動販売機の商品収容棚。
【請求項６】
通路規制板の側部で上下位置に有通路の側板に係合する係合軸部で、前記係合軸部は通路規制板と一体に形成され、板部材を折り曲げて形成したことを特徴とする請求項１から５のいずれか一項に記載の自動販売機の商品収容棚。
【請求項７】
左右の係合軸部間で少なくとも上部係合軸部間は補強溝が連続して形成されていることを特徴とする請求項６に記載の自動販売機の商品収容棚。
【発明の詳細な説明】
【技術分野】
【０００１】
本発明は、商品通路内に並べて収納した商品を、硬貨または紙幣等の投入による販売指令に基づいて収容商品の販売を行う自動販売機の商品収容棚に関するものである。
【背景技術】
【０００２】
従来、缶飲料やペットボトル飲料などの商品を商品通路内に並べて販売を行う自動販売機の商品収容棚においては、同一商品通路内でさまざまな外径の商品を販売することが必要であり、商品通路下部に取り付けられている搬出装置に対向して配置された通路規制板を前後方向に動かすことで、さまざまな外径の商品を販売していた（例えば、特許文献１参照）。
【０００３】
図７は、特許文献１に記載された従来の自動販売機の商品収容棚である。図７に示すように従来の商品収容棚は、商品通路壁となる側板１と、側板１に取り付けられた商品搬出装置（図示しない）の対向に配置された通路規制板２と、通路規制板２の側面に設けられた係合軸４と、側板１に設けられた係止軸４が移動可能に係合される溝１ｂによって構成されており、販売商品の外径に合わせて通路規制板２の係合軸４を溝１ｂに沿って移動させることで、同一商品通路においてさまざまな外径の商品の販売を可能にしたものである。
【特許文献１】特開２００１−３４４６５０号公報
【発明の開示】
【発明が解決しようとする課題】
【０００４】
しかしながら、前記従来の発明では、通路規制板２を商品搬出装置に対して前後方向に移動させることで、同一商品通路においてさまざまな外径の商品の販売を可能にしていたが、通路規制板２の係合軸４を側板１に設けられた溝１ｂに沿って移動させる時に、通路規制板２が側板１に固定されていないと脱落してしまうため、脱落防止のための別部品を係合軸４に取り付ける、あるいは通路規制板２の周辺の側板１を別部品によって係合軸４が脱落しない幅に固定するなどの手段を講じる必要があった。しかし、別部品による通路規制板２の脱落防止手段を用いた場合、商品収容棚の組み立て時に別部品を取り付ける工程が必要であり、組み立て時間および部品点数の増加によるロスが発生してしまう。また、別部品が外れてしまうと商品収容棚において重要な役割を果たしている通路規制板２が脱落してしまい、正常に収容商品を販売できなくなる危険性も抱えている。
【０００５】
ところで、近年の商品収容棚においては商品搬出装置の機能向上に伴い、通路規制板２を移動させることなくさまざまな外径の商品を販売することが可能となっているため、通路規制板２を移動させる必要性がなくなってきており、いかにして組み立て工程および部品点数の増加によるロスを発生させることなく、通路規制板２が側板１から脱落しないように固定するかが重要な課題となっている。
【０００６】
本発明は、前記従来の発明の課題を解決するもので、組み立て工程および部品点数の増加によるロスを発生させることなく、通路規制板を側板から脱落しないように確実に取り付けることで、より安価で安定した商品販売を可能とする商品収容棚を提供することを目的とする。
【課題を解決するための手段】
【０００７】
前記従来の課題を解決するために、本発明の自動販売機の商品収容棚は、商品通路下部に取り付けられている搬出装置に対向して配置され、商品を保持するための突起部と側面に商品通路の側板と係合させる為の係合軸とを備えた通路規制板において、側板に設けた溝孔と係合軸を係合させ、係合軸部先端の係止爪を折り曲げることで、通路規制板を側板に連結固定したものである。
【０００８】
これによって、自動販売機の商品収容棚の商品通路下部に取り付けられている搬出装置に対向して配置された通路規制板を、別部品を使うことなく確実に側板に固定することができるため、組み立て工程および部品点数の増加によるロスを発生させることなく、より安価で、安定した販売可能とする商品収容棚を提供することができる。
【発明の効果】
【０００９】
本発明の自動販売機の商品収容棚は、組み立て時間および部品点数の増加によるロスを発生させることなく、より安価で安定した商品販売を可能とする商品収容棚を提供することができる。
【発明を実施するための最良の形態】
【００１０】
請求項１に記載の発明は、商品通路の下部で商品を排出する商品搬出装置と対向して配置した通路規制板を有する商品収容棚において、前記通路規制板は商品を保持するための突起部と、前記通路規制板の側部には商品通路の側板と係合させる為の係合軸とを備え、前記側板に設けた溝孔に前記係合軸を係合させ、前記係合軸先端の係止爪を折り曲げて前記側板に固定することで係合軸が溝孔から脱落することを防止でき、通路規制板が側板に確実に連結固定されるため、組み立て工程および部品点数の増加によるロスを発生させることなく、より安価で安定した商品販売を可能とする自動販売機の商品収容棚を提供することができる。
【００１１】
請求項２に記載の発明は、請求項１に記載の発明にさらに通路規制板と側板を固定するための係止爪は折り曲げ方向に傾斜して形成されたことで、商品収容棚の組み立て工程において係止爪を安定して一定方向に曲げることができ、組み立てバラツキを低減できる。
【００１２】
請求項３に記載の発明は、請求項１または２に記載の発明にさらに、通路規制板と側板を固定するための係止爪には折り曲げを補助するための切込み溝が形成されていることで、組立工程において係止爪を曲げる際に必要な力を軽減でき、また、切込み溝部の強度が弱くなることで安定して係合軸とで係止爪との境界にて係止爪を曲げることができ、係合軸が溝孔から脱落することを防止できる。
【００１３】
請求項４に記載の発明は、請求項１から３のいずれか一項に記載の発明に、通路規制板と側板を固定するための係止爪には曲げ位置を定める補強溝を設けたことで、係合軸と係止爪の間に強度格差をつけることで、さらに係合軸を変形させることなく係止爪を曲げることができ、係合軸が溝孔から脱落することを防止できる。
【００１４】
請求項５に記載の発明は、請求項１から４のいずれか一項に記載の発明に、通路規制板と側板を固定するための係止爪の左右には折り曲げを補助するための切欠き部が設けられていることで、係止爪と係合軸の境界部の幅を小さくでき、組み立て工程において係止爪を曲げる際に必要な力を軽減できるため、安定して係合軸とで係止爪との境界にて係止爪を曲げられる。
【００１５】
請求項６に記載の発明は、請求項１から５のいずれか一項に記載の発明に、通路規制板の側部で上下位置に有通路の側板に係合する係合軸部で、前記係合軸部は通路規制板と一体に形成され、板部材を折り曲げて形成したことで、通常では十分に強度確保できない薄板においても、正常に通路規制板の役割を果たすことができる。また、薄板で構成した場合、係合軸部の先端に折り曲げ固定される係止爪の板厚が薄くなることで、組立工程において係止爪を曲げる際に必要な力を軽減できる。
【００１６】
請求項７に記載の発明は、請求項６に記載の発明に、左右の係合軸部間で少なくとも上部係合軸部間は補強溝が連続して形成されていることで搬出位置付近にある商品の荷重が搬出装置やその周辺部材にかかり、薄型化された通路規制板に補強溝を形成することでたわみを防ぐことができ、強度不足による異常搬出を防ぐことができる。
【００１７】
以下、本発明の実施の形態について、図面を参照しながら説明するが、従来例と同一構成については同一符号を付して、その詳細な説明は省略する。なお、この実施の形態によってこの発明が限定されるものではない。
【００１８】
（実施の形態１）
図１は本発明の実施の形態１における商品収容棚下部の斜視図で、図２は商品販売時の商品収容棚の断面図、図３は通路規制板の斜視図、図４は係止爪曲げ後の上方断面図、図５は成形時に係止爪を曲げ方向に傾斜させた時の上方断面図、図６は係合軸の要部斜視図を示すものである。
【００１９】
図１において、通路規制板１１は商品搬出装置１２に対向して配置され、側板１３に固定されている。図２に示すように、自動販売機の商品収容棚１０においては、硬貨または紙幣等の投入による販売指令に基づいて搬出装置１２が動作することで、次期販売商品１４を上フラッパ１５と通路規制板１１によって一旦保持し、その間に下フラッパ１６を回転させ、販売商品１７を払い出す構成となっているため、通路規制板１１は商品収容棚１０において重要な役割を果たしている。このことからわかるように、通路規制板１１が仮に側板１３から脱落してしまうと、搬出装置１２が動作した時に下から２番目の商品を正常に保持できず、商品が多本出してしまう、詰まって出てこないといった問題が発生してしまう。
【００２０】
そこで本発明においては、図３に示すような通路規制板１１によって側板１３に確実に連結固定させ、自動販売機の商品収容棚に求められる機能を確実に果たそうとするものである。
【００２１】
図３において、通路規制板１１の配置構成について説明する。通路規制板１１は金属性材料で成形されており、合理化等により薄板化になりつつある。実施例の場合、板厚が２ｍｍ以下の板厚で具体的には約１ｍｍで設計されている。
【００２２】
図３のように通路規制板１１の両側部で上方には上部係合軸部１８が一体形成され、下方には下部係合軸部１９が両側部に形成されている。上部係合軸部１８と下部係合軸部１９の間に商品を保持する突起部となる商品保持用突起２０が左右方向に連続して形成され、商品保持用突起２０の近傍で両側部に係合軸２１を備えている。
【００２３】
また上部係合軸部１８は、通路規制板１１の一部の板部材１８ａを折り曲げて形成し、その板部材１８ａの部分は図３のように切欠き溝２２として形成されている。下部係合軸部１９も同様に形成されている。
【００２４】
また通路規制板１１には左右方向に補強溝１１ａが上部係合軸部１８同士をつなぐように形成されていて、商品保持用突起２０よりも上部で、上下方向にも補強溝１１ｂが複数形成されている。実施例の場合、商品保持用突起２０より下部にも上下方向に補強溝１１ｂが形成されており、下部係合軸部１９間には左右方向の補強溝１１ａは形成されていない。
【００２５】
これは商品保持用突起２０より上部は商品を保持するときに荷重がかかり通路規制板１１方向にも大きな荷重がかかるため補強することで、たわみによる商品搬出の誤動作を防止することができる。商品保持用突起２０より下部は搬出による商品移動時に一時的にわずかに荷重がかかる程度で上部ほど補強溝を形成する必要はない。
【００２６】
次に係合軸２１の構造について説明する。図６は通路規制板１１における係合軸２１の要部斜視図で、商品の通路側の裏面側から見た図である。係合軸２１は通路規制板１１の商品通路面１１ｃ側からプレスし同時に係止爪２１ａが形成されるように切り落として作られている。上部係合軸部１２、下部係合軸部１９も同様に形成されている。
【００２７】
このため係合軸２１ａは商品通路面１１ｃを基準とすると商品通路の裏面側に向かって基軸部２１ｂが凸面状に形成されるため商品通路面１１ｃ面側に突出することはなく商品収納棚を落下する商品の邪魔にならず商品つまりを低減できる。また補強溝１１ａ、１１ｂも同様に裏面側に向かって凸部を形成している。
【００２８】
また係止爪２１ａは商品通路面１１ｃの裏面側方向にわずかに傾斜して形成されており、側板１３に連結した後に係止爪２１ａを折り曲げやすいようにしている。
【００２９】
係止爪２１ａの折り曲げやすさと、正確な位置で折り曲げできるように係合軸２１には下記のような構造になっている。
【００３０】
曲げ位置を安定させるため、係合軸２１に補強溝２３を有している。補強溝２３は基軸部２１ｂ内を左右方向に商品通路面１１ｃより商品通路側に突出しない高さで形成されている。図６のように曲げ線２４と略垂直方向に補強溝２３が形成されるので、係止爪２１ａの曲げに対する強度格差をつけることができ曲げ位置の安定を図ることができ、側板１３との組み立てバラツキを低減することができる。
【００３１】
また、基軸部２１ｂと係止爪２１ａの間の両側部に切欠き部２５を形成し境界部の幅寸法を小さくすることで境界部の曲げに対する強度を低くすることで曲げの起点となるように工夫した。
【００３２】
また切欠き部２５間を結ぶように連続して切込み溝２６を設けている。切込み溝２６は商品通路の裏面側に形成され、側板１３の連結固定する時の曲げ工程において係止爪２１ａが商品通路方向に曲がることを防止している。
【００３３】
次に本発明における通路規制板１１の側板１３への固定方法について詳細に説明する。
【００３４】
通路規制板１１は側面に設けられた上下係合軸部１８、１９を、側板１３に設けられ上下係合軸部１８、１９が隙間なく通過できる程度の大きさの溝孔２７に係合させた状態で使用するため、通路規制版１１を側板１３に固定するには、上下係合軸部１８、１９が溝孔２７から脱落することを防止する必要があった。そのためには、溝孔２７の外側に突き出した上下係合軸部１８、１９が側板１３の溝孔２７の内側に入り込まないようにすることが必要である。
【００３５】
本発明においては通路規制板１１を溝孔２７に係合させ、商品通路内に取り付けた後に係合軸２１の先端に設けた係止爪２１ａを曲げることで、係合軸２１が溝孔２７の内側に入り込もうとした際に、係止爪２１ａを曲げることで溝孔２７から抜け落ちて通路規制板１１が溝孔２７から脱落することはない。
【００３６】
また、係合軸２１の先端に設けた係止爪２１ａが曲げられていることで、側板１３が固定されるため商品通路幅方向に広がることを抑制でき、上部係合軸部１８および下部係合軸部１９の溝孔２７からの脱落を防ぐことができる。以上より、通路規制板１１は側板１３に確実に連結固定され、安定して商品販売を行うことができる。
【００３７】
図４は、係合軸２１の先端に設けた係止爪２１ａが曲げられ、側板１３に固定されている上方断面図を示しているが、通常は通路規制板１１には図４に示すように商品通路内に収容されている商品によってＡ方向の力が働いている。
【００３８】
ここで、係合軸２１の先端に設けた係止爪２１ａの曲げ方向についてだが、ＩおよびＩＩ方向に係止爪２１ａを曲げることが考えられる。まず、係止爪２１ａをＩ方向に曲げた場合だが、Ａ方向に力が加わっても、曲げられた係止爪２１ａによって係合軸２１が側板１３の内側に入り込むことはない。
【００３９】
一方、係止爪２１ａをＩＩ方向に曲げた場合、Ａ方向に力が加わると係止爪２１ａの曲げＲと溝孔２７が当たり、係止爪２１ａの曲げＲにガイドされて係合軸２１が側板１３内に入り込む危険性があった。
【００４０】
そこで、本発明においては図５に示すように、成形時に係合軸２１の先端に設けた係止爪２１ａを曲げ方向（Ｉ方向）に傾斜させることで、すなわち商品通路の裏面側方向に傾斜させ、確実に一定方向（図５におけるＩ方向）に曲げる構成を取った。
【００４１】
さらに、成形時に係合軸２１とその先端に設けた係止爪２１ａの境界に図６で示すような切込み溝２６を設けることで、境界部分の板厚を減少させ曲げの起点となるように工夫した。
【００４２】
以上のように、係合軸２１とその先端に設けた係止爪２１ａの境界に図５および図６に示すような工夫を設け、組み立て工程において係合軸２１とで係止爪２１ａとの境界にて、係止爪２１ａを安定して曲げることで、係合軸２１が溝孔２７から脱落することを防止でき通路規制板１１が側板１３に確実に連結固定されるため、組み立て工程および部品点数の増加によるロスを発生させることなく、より安価で安定した商品販売を可能とする自動販売機の商品収容棚を提供することができる。
【００４３】
なお、本発明においては、係合軸２１の先端に設けた係止爪２１ａのみを曲げることで通路規制板１１を側板１３に固定する方法について述べたが、通路規制板１１が有する係合軸であればどの箇所においても係止爪部を設けることによって、通路規制板を側板に固定でき、同様の効果が得られる。
【産業上の利用可能性】
【００４４】
以上のように本発明にかかる自動販売機の商品収納棚は通路規制板が側板に確実に連結固定されるため、組み立て工程および部品点数の増加によるロスを発生させることなく、より安価で安定した商品販売を可能となるので、あらゆる構成の商品収納棚の側板との固定方法に適用できる。
【図面の簡単な説明】
【００４５】
【図１】本発明の実施の形態１における商品収容棚下部の斜視図
【図２】本発明の実施の形態１における商品販売時の商品収容棚の断面図
【図３】本発明の実施の形態１における通路規制板の斜視図
【図４】本発明の実施の形態１において係止爪を曲げ側板に固定した時の上方断面図
【図５】本発明の実施の形態１における係止爪を曲げ方向に傾斜させ側板に固定した時の上方断面図
【図６】本発明の実施の形態１における係合軸の要部斜視図
【図７】従来の自動販売機における商品収容棚の斜視図
【符号の説明】
【００４６】
１１  通路規制板
１１ａ，１１ｂ，２３  補強溝
１２  商品搬出装置
１３  側板
１８ａ  板部材
２５  切欠き部
２６  切込み溝
２７  溝孔
２０  商品保持用突起（突起部）
２１  係合軸
２１ａ  係止爪
１００  商品収容棚
【図１】
2006252114.tif 000003
【図２】
2006252114.tif 000004
【図３】
2006252114.tif 000005
【図４】
2006252114.tif 000006
【図５】
2006252114.tif 000007
【図６】
2006252114.tif 000008
【図７】
2006252114.tif 000009